(57)【特許請求の範囲】
【請求項１】
外装体(1)とパレット(2)と内装体(3)とから構成し、外装体(1)は、後面板(11)の上端に天面板(12)及び前面板(13)を順次連設し、後面板(11)、一対の側面板(14)及び前重板(15)を備えた周壁を形成して、前重板(15)の上端には折込片(15a)を連設し、周壁各面の下端から延びる底受片(16)同士を係合させ、底面が底受片(16)以外の部分では開放された状態とし、周壁の下端部にフォーク差込部(17)を形成し、前面板(13)及び前重板(15)にロック穴(4)を設けたものとし、内装体(3)は、内底板(31)の後端に内後板(32)を連設し、内底板(31)の前端に内前板(33)を連設して、内後板(32)及び内前板(33)にロック穴(4)を設けたものとし、パレット(2)を外装体(1)の内側に挿入して底受片(16)で受け止め、内装体(3)を外装体(1)の内側に挿入して、パレット(2)に内底板(31)を重ねるように置き、前重板(15)の内側に内前板(33)を重ねると共に、後面板(11)の内側に内後板(32)を重ね、折込片(15a)を内側下方へ折り曲げて、内前板(33)を巻き込み、外装体(1)及び内装体(3)を保形した状態で、物品を内装体(3)の内側に収納して、内装体(3)の底部で物品の底部を支持し、天面板(12)を前方へ折り曲げて、前面板(13)を前重板(15)の外側に重ね、前面板(13)、前重板(15)及び内前板(33)をロック穴(4)へのジョイント具(7)の差し込みにより重合状態でロックし、後面板(11)及び内後板(32)をロック穴(4)へのジョイント具(7)の差し込みにより重合状態でロックして、外装体(1)と内装体(3)とを固定するパレット梱包箱。
【発明の詳細な説明】
【技術分野】
【０００１】
この発明は、重量物の運搬に使用するパレット梱包箱に関するものである。
【背景技術】
【０００２】
近年、電気製品、機械製品等の重量物の運搬用として、段ボールを主要材料とするものが使用され、その一例として、下記特許文献１には、図１４に示すようなパレット梱包箱が記載されている。
【０００３】
この梱包箱は、トレー状のパレット５１と、下面が開口した箱状の外装体５２とから成り、これらの下部にフォークリフトのフォークが差し込まれるフォーク差込部５３，５４を設けると共に、ロック穴５５，５６を形成したものとされている。
【０００４】
そして、この梱包箱により物品を梱包する際には、パレット５１に物品を載せ、その上方から外装体５２を被せて、パレット５１の外側に外装体５２の下部を重ね、ロック穴５５，５６にジョイント具を差し込んで、パレット５１と外装体５２とを固定する。
【先行技術文献】
【特許文献】
【０００５】
【特許文献１】実開昭５４−７４６８７号公報
【発明の概要】
【発明が解決しようとする課題】
【０００６】
しかしながら、上記のようなパレット梱包箱では、運搬時にパレットの上方で外装体に手を掛けて持ち上げると、全体的に形状が歪むおそれがあり、これを防止するには、多数の部分に糊貼りやワイヤ止めを施して、強固な構造にしておかなければならず、製造や梱包に多大なコストがかかるという問題があった。
【０００７】
また、物品を梱包した状態で、引き摺って移動させた場合、パレットの底面が全面的に接地しているので、抵抗が大きく、パレットの底面の段ボールが傷付いて破れたり、パレットのコーナー部分が破れたりするおそれがあった。
【０００８】
そこで、この発明は、運搬性を損なうことなく強度を確保でき、引き摺りによる損傷も防止され、コストも抑制できるようにすることを課題とする。
【課題を解決するための手段】
【０００９】
上記のような課題を解決するため、この発明に係るパレット梱包箱は、外装体とパレットと内装体とから構成し、外装体は、後面板の上端に天面板及び前面板を順次連設し、後面板、一対の側面板及び前重板を備えた周壁を形成して、前重板の上端には折込片を連設し、周壁各面の下端から延びる底受片同士を係合させ、底面が底受片以外の部分では開放された状態とし、周壁の下端部にフォーク差込部を形成し、前面板及び前重板にロック穴を設けたものとし、内装体は、内底板の後端に内後板を連設し、内底板の前端に内前板を連設して、内後板及び内前板にロック穴を設けたものとし、パレットを外装体の内側に挿入して底受片で受け止め、内装体を外装体の内側に挿入して、パレットに内底板を重ねるように置き、前重板の内側に内前板を重ねると共に、後面板の内側に内後板を重ね、折込片を内側下方へ折り曲げて、内前板を巻き込み、外装体及び内装体を保形した状態で、物品を内装体の内側に収納して、内装体の底部で物品の底部を支持し、天面板を前方へ折り曲げて、前面板を前重板の外側に重ね、前面板、前重板及び内前板をロック穴へのジョイント具の差し込みにより重合状態でロックし、後面板及び内後板をロック穴へのジョイント具の差し込みにより重合状態でロックして、外装体と内装体とを固定することとしたのである。
【発明の効果】
【００１０】
この発明に係るパレット梱包箱では、接地状態において、パレット及び内装体で物品の荷重を受け止めているので、フォークリフトで運搬する際には、フォーク差込部にフォークリフトのフォークを差し込んで、パレットの下方から持ち上げることができる。
【００１１】
そして、外装体と内装体とを一体化しているので、パレットより上方の位置に手を掛けて持ち上げて運搬する際には、内装体と外装体とで物品の荷重を受け止めることにより、全体的な歪みの発生を防止でき、底受片により、パレットの脱落を防止できる。
【００１２】
また、外装体と内装体との重合部の係合により強度を確保するので、製造に際し、糊貼り加工等を大幅に削減することができ、製造コストを抑制することができる。
【００１３】
また、物品を梱包した状態で、底受片のみが接地し、パレットは底受片で保護されているので、引き摺って移動させても、パレット梱包箱の底面全体の損傷や、パレットの局所的な損傷が防止される。
【図面の簡単な説明】
【００１４】
【図１】この発明に係るパレット梱包箱の梱包状態を示す斜視図
【図２】図１のII−II線に沿った断面図
【図３】図１のIII−III線に沿った断面図
【図４】同上のパレット梱包箱の分解斜視図
【図５】同上の外装体のブランクを示す図
【図６】同上の内装体のブランクを示す図
【図７】同上の支持材のブランクを示す図
【図８】同上の外装体の組立過程を示す斜視図
【図９】同上の外装体の組立状態を示す斜視図
【図１０】同上の内装体の組立状態を示す斜視図
【図１１】同上のパレットの組立状態を示す斜視図
【図１２】同上の支持材の組立状態を示す斜視図
【図１３】同上の外装体にパレット及び内装体を挿入した状態を示す斜視図
【図１４】従来のパレット梱包箱を示す斜視図
【発明を実施するための形態】
【００１５】
以下、この発明の実施形態を添付図面に基づいて説明する。
【００１６】
図１乃至図４に示すように、このパレット梱包箱は、外装体１とパレット２と内装体３とを主要構成部材とするものであり、ハイブリッド自動車用のバッテリーＢを梱包するために使用される。このバッテリーＢは、自動車の走行用電力を蓄電するため、約５０ｋｇの重量を有する大容量のものとされている。
【００１７】
外装体１は、図５に示すような複両面段ボール製のブランクから形成される。このブランクでは、後面板１１の上端に天面板１２及び前面板１３が順次連設され、後面板１１の両側に側面板１４及び前重板１５が順次連設され、後面板１１、側面板１４及び前重板１５の下端にそれぞれ底受片１６が連設されている。
【００１８】
側面板１４の上端には、側重板１４ａが２枚順次連設され、その先端に蓋受片１２ａが連設されている。前重板１５の上端には、折込片１５ａがブリッジ部１５ｂを介して連設され、折込片１５ａの一側には、係合突起１５ｃが設けられている。
【００１９】
側面板１４に繋がる底受片１６の両側には、基部が括れ、先端側が幅広くなった斜め罫線入りの係合片１６ａが設けられ、後面板１１及び前重板１５に繋がる底受片１６の基部には、Ｈ字状の切目を入れて係合穴１６ｂが設けられている。
【００２０】
後面板１１及び前面板１３には、組立時に下端となる端縁に臨んで切り抜かれたフォーク差込部１７が設けられている。また、後面板１１、前面板１３及び前重板１５には、高さ方向中間部にロック穴４が設けられている。後面板１１に繋がる底受片１６の先端縁中央部には、後述するパレット２の桁材２２が嵌り込む切込１６ｃが設けられている。
【００２１】
内装体３は、図６に示すような両面段ボール製のブランクから形成される。このブランクでは、内底板３１の後端に内後板３２が連設され、内底板３１の前端には、両側部に内前板３３が、中間部に前蓋板３４が連設されている。内後板３２及び内前板３３の外側には側折片３５が連設され、内前板３３の端縁には係合凹部３３ａが、側折片３５の基部には係合穴３５ａがそれぞれ設けられている。
【００２２】
内後板３２及び内前板３３には、高さ方向中間部にロック穴４が設けられ、内後板３２のロック穴４には、後述するジョイント具７でのロック時に前部側と厚さを揃えるために折り返す折返片４ａが設けられている。また、内底板３１には、後述する支持材５，６を嵌め込む嵌合穴３１ａが設けられている。
【００２３】
支持材５，６は、図７に示すような複両面段ボール製ブランクから形成される。このブランクは、帯状に長く、多数の折目線及び切目線を入れたものとされている。
【００２４】
上記のような部材からパレット梱包箱を組み立てるには、図８及び図９に示すように、外装体１のブランクにおいて、後面板１１から側面板１４を前方へ折り曲げて、一対の側面板１４を対向させ、両側各二枚の側重板１４ａを側面板１４の内側に重ね、底受片１６を内側水平方向へ折り曲げて、コーナー部で重ね合わせ、係合片１６ａを係合穴１６ｂに差し込む。
【００２５】
このとき、係合片１６ａは、罫線沿いに折れ曲がりつつ、係合穴１６ｂに挿入されて、弾性により復元し、係合穴１６ｂから抜け止めされ、底受片１６が水平に保持される。
【００２６】
また、図１０に示すように、内装体３のブランクにおいて、内底板３１から内後板３２及び内前板３３を起立させ、側折片３５を内側へ折り曲げる。
【００２７】
また、パレット２は、図１１に示すように、段ボールの載置板２１の下面に、桁材２２を３本間隔をあけて前後方向に延びるように接着したものとし、桁材２２は、段ボールを積層して接着したものとする。
【００２８】
また、支持材５，６のブランクは、図１２に示すように、折目線沿いに折り重ねて、ブロック状に段ボールを積層し、フランジ５ａ，６ａを有する形状に組み立てる。
【００２９】
そして、図１３に示すように、これらの部材によりバッテリーＢを梱包するには、パレット２を外装体１の内側に挿入して、両側の桁材２２を底受片１６で受け止める。
【００３０】
次に、支持材５，６を内装体３の嵌合穴３１ａに下方から嵌め込んで、フランジ５ａ，６ａにより抜け止めした状態で、内装体３を外装体１の内側に挿入して、パレット２の載置板２１に内底板３１を重ねるように置き、前重板１５の内側に内前板３３を重ねると共に、後面板１１の内側に内後板３２を重ねる。
【００３１】
続いて、折込片１５ａを内側下方へ折り曲げて、内前板３３を巻き込み、ブリッジ部１５ｂを係合凹部３３ａに係合させると共に、係合突起１５ｃを係合穴３５ａに係合させることにより、外装体１及び内装体３を保形する。
【００３２】
その後、バッテリーＢを内装体３の内側に収納して、支持材５，６でバッテリーＢの底部を支持する。このとき、前蓋板３４を前重板１５の間から外側へ倒して開けておくことにより、フォークリフトのフォークを内装体３の内部に挿入して、バッテリーＢを容易に支持材５，６に載置することができる。
【００３３】
この状態で、図１乃至図３に示すように、前蓋板３４を起立させ、蓋受片１２ａを内側水平方向へ折り曲げ、蓋受片１２ａの先端を、内後板３２に形成された段差及び内前板３３と前蓋板３４の高さの差により形成される段差に当接させて、外装体１及び内装体３の保形性を向上させる。
【００３４】
最後に、天面板１２を前方へ折り曲げて閉じ、前面板１３を前重板１５の外側に重ね、前面板１３、前重板１５及び内前板３３をロック穴４にジョイント具７を差し込んで重合状態でロックし、後面板１１及び内後板３２をロック穴４にジョイント具７を差し込んで重合状態でロックすると、外装体１と内装体３とが固定される。
【００３５】
このジョイント具７としては、把手を兼用し、枠部に可動部を押し込むと、鍔部が広がってロック穴４から抜け止めされるプラスチック製のものを使用する。
【００３６】
上記のようなパレット梱包箱では、パレット２の載置板２１に内装体３の内底板３１を載せ、接地状態において、これらによりバッテリーＢの荷重を受け止めているので、フォークリフトで運搬する際には、載置板２１の下方で開口したフォーク差込部１７にフォークリフトのフォークを差し込んで、パレット２の下方から持ち上げることができる。
【００３７】
そして、外装体１と内装体３とを一体化しているので、パレット２より上方に位置するジョイント具７に手を掛けて持ち上げて運搬する際には、内装体３と外装体１とでバッテリーＢの荷重を受け止めることにより、全体的な歪みの発生を防止でき、底受片１６により、パレット２の脱落を防止できる。
【００３８】
また、このとき、外装体１と内装体３との重合部の係合により強度を確保するので、製造に際し、糊貼り加工を大幅に削減することができ、ワイヤ止めもすることなく、十分な強度を確保でき、製造コストを抑制することができる。
【００３９】
また、側面板１４の内側に二枚の側重板１４ａを重ね、箱の両側壁が段ボールを三枚重ねた構造となっているので、大きな耐圧強度を得ることができる。
【００４０】
さらに、バッテリーＢを梱包した状態で、底受片１６のみが接地し、パレット２は底受片１６で保護されているので、引き摺って移動させても、パレット梱包箱の底面全体の損傷や、パレット２の桁材２２等の局所的な損傷が防止される。
【００４１】
なお、上記実施形態では、外装体１と内装体３との結合手段として、プラスチック製のジョイント具７を使用しているが、外装体１の後面板１１及び前面板１３に形成した段ボールの係合片をロック穴４に押し込んで、外装体１と内装体３とを結合してもよい。
【００４２】
また、物品を内装体３の内側に吊り降ろして収納する場合には、内前板３３で内装体３の前面側が閉じられたものとしてもよく、外装体１もまた、前重板１５により前面側が閉じられたものとしてもよい。
【符号の説明】
【００４３】
１  外装体
２  パレット
３  内装体
４  ロック穴
４ａ  折返片
５，６  支持材
５ａ，６ａ  フランジ
７  ジョイント具
１１  後面板
１２  天面板
１２ａ  蓋受片
１３  前面板
１４  側面板
１４ａ  側重板
１５  前重板
１５ａ  折込片
１５ｂ  ブリッジ部
１５ｃ  係合突起
１６  底受片
１６ａ  係合片
１６ｂ  係合穴
１６ｃ  切込
１７  フォーク差込部
２１  載置板
２２  桁材
３１  内底板
３１ａ  嵌合穴
３２  内後板
３３  内前板
３３ａ  係合凹部
３４  前蓋板
３５  側折片
３５ａ  係合穴
Ｂ  バッテリー
【図１】
0005387963.tif 000002
【図２】
0005387963.tif 000003
【図３】
0005387963.tif 000004
【図４】
0005387963.tif 000005
【図５】
0005387963.tif 000006
【図６】
0005387963.tif 000007
【図７】
0005387963.tif 000008
【図８】
0005387963.tif 000009
【図９】
0005387963.tif 000010
【図１０】
0005387963.tif 000011
【図１１】
0005387963.tif 000012
【図１２】
0005387963.tif 000013
【図１３】
0005387963.tif 000014
【図１４】
0005387963.tif 000015